(57)【要約】【課題】便器本体の壁面への取り付け施工時におけるコードの挟み込みを抑制すること。【解決手段】実施形態に係るトイレ装置は、壁掛け式の便器本体と、衛生洗浄装置と、コードと、被覆部材とを備える。便器本体は、汚物を受けるボウル部を覆うとともにボウル部よりも後方に延在して大便器の外郭を形成する袴部を備える。衛生洗浄装置は、便器本体の上面に設けられ、使用者の局部を洗浄する。コードは、壁面から取り出され、一部が便器本体の内部に配置された状態で衛生洗浄装置に接続される。被覆部材は、コードを覆い、コードよりも可撓性が低い。【選択図】図５
2020105690.tif 000002
【特許請求の範囲】
【請求項１】
汚物を受けるボウル部を覆うとともに前記ボウル部よりも後方に延在して大便器の外郭を形成する袴部を備えた壁掛け式の便器本体と、
前記便器本体の上面に設けられ、使用者の局部を洗浄する衛生洗浄装置と、
壁面から取り出され、一部が前記便器本体の内部に配置された状態で前記衛生洗浄装置に接続されるコードと、
前記コードを覆う前記コードよりも可撓性の低い被覆部材と
を備える、トイレ装置。
【請求項２】
前記被覆部材は、
前記便器本体の背面に形成された前記コードの挿通孔と前記壁面との距離よりも長い、請求項１に記載のトイレ装置。
【請求項３】
前記被覆部材は、
前記コードの一部が収納される前記袴部の内部空間の前後方向における幅よりも短い、請求項１または２に記載のトイレ装置。
【請求項４】
前記被覆部材は、
前記壁面から延出する前記コードの長さと、前記便器本体の背面に形成された前記コードの挿通孔および前記壁面間の距離との差よりも短い、請求項１〜３のいずれか一つに記載のトイレ装置。
【請求項５】
前記便器本体に取り付けられ、前記袴部の内部空間において前記コードの一部を下方から支持するブラケット
を備える、請求項１〜４のいずれか一つに記載のトイレ装置。
【発明の詳細な説明】
【技術分野】
【０００１】
開示の実施形態は、トイレ装置に関する。
【背景技術】
【０００２】
従来、壁掛け式の便器本体と、便器本体の上面に設けられ、使用者の局部を洗浄する衛生洗浄装置とを備えたトイレ装置が知られている。
【０００３】
特許文献１には、壁面から取り出されたコード類を便器本体の背面に形成された開口に挿通して便器本体の内部に収めることにより、コード類が外部から視認されないように構成されたトイレ装置が開示されている。  
【先行技術文献】
【特許文献】
【０００４】
【特許文献１】特開２０１７−４０１４２号公報
【発明の概要】
【発明が解決しようとする課題】
【０００５】
しかしながら、上述した従来技術では、便器本体の壁面への取り付け施工時に、便器本体と壁面との間にコード類が挟み込まれる可能性がある。
【０００６】
実施形態の一態様は、上記に鑑みてなされたものであって、便器本体の壁面への取り付け施工時におけるコードの挟み込みを抑制することができるトイレ装置を提供することを目的とする。
【課題を解決するための手段】
【０００７】
実施形態の一態様に係るトイレ装置は、汚物を受けるボウル部を覆うとともに前記ボウル部よりも後方に延在して大便器の外郭を形成する袴部を備えた壁掛け式の便器本体と、前記便器本体の上面に設けられ、使用者の局部を洗浄する衛生洗浄装置と、壁面から取り出され、一部が前記便器本体の内部に配置された状態で前記衛生洗浄装置に接続されるコードと、前記コードを覆う前記コードよりも可撓性の低い被覆部材とを備える。
【０００８】
コードよりも可撓性の低い被覆部材でコードを覆うことで、コードの弛みが抑制される。これにより、便器本体の壁面への取り付け施工時において、便器本体と壁面との間にコードが挟み込まれることを抑制することができる。
【０００９】
また、前記被覆部材は、前記便器本体の背面に形成された前記コードの挿通孔と前記壁面との距離よりも長い。
【００１０】
これにより、被覆部材の一端を挿通孔に挿通し、他端を壁面に当接させた状態で、便器本体の壁面への取り付けを行うことができることから、コードの挟み込みを適切に抑制することができる。
【００１１】
また、前記被覆部材は、前記コードの一部が収納される前記袴部の内部空間の前後方向における幅よりも短い。
【００１２】
このように、被覆部材を内部空間の前後方向の長さよりも短くすることで、内部空間に対して被覆部材を確実に収めることができる。
【００１３】
また、前記被覆部材は、前記コードの長さと、前記便器本体の背面に形成された前記コードの挿通孔および前記壁面間の距離との差よりも短い。
【００１４】
このように構成することで、コードの弛みを抑制しつつ、内部空間に対して被覆部材を確実に収めることができる。
【００１５】
また、実施形態の一態様に係るトイレ装置は、前記便器本体に取り付けられ、前記袴部の内部空間において前記コードの一部を下方から支持するブラケットを備える。
【００１６】
このように、ブラケットを備えることにより、コードを内部空間内に固定することができる。また、コードが固定されることで、被覆部材が不要に便器本体に接触することを抑制することができる。
【発明の効果】
【００１７】
実施形態の一態様によれば、便器本体の壁面への取り付け施工時におけるコードの挟み込みを抑制することができる。
【図面の簡単な説明】
【００１８】
【図１】図１は、実施形態に係るトイレ装置を示す斜視図である。
【図２】図２は、便器本体の断面図である。
【図３】図３は、便器本体を壁に取り付ける前の状態を示す斜視図である。
【図４】図４は、便器本体を壁に取り付けた後の状態を示す斜視図である。
【図５】図５は、便器本体の断面図である。
【発明を実施するための形態】
【００１９】
以下、添付図面を参照して、本願の開示するトイレ装置の実施形態を詳細に説明する。なお、以下に示す実施形態によりこの発明が限定されるものではない。
【００２０】
図１は、実施形態に係るトイレ装置を示す斜視図である。なお、図１には、説明を分かり易くするために、互いに直交するＸ軸方向、Ｙ軸方向およびＺ軸方向を規定し、Ｚ軸正方向を鉛直上向き方向とする３次元の直交座標系を図示している。
【００２１】
図１に示すように、トイレ装置１は、便器本体１０と、便器本体１０の上面に設けられる衛生洗浄装置３０とを備える。便器本体１０は、トイレ室の床面Ｆから立設する壁Ｗに取り付けられる壁掛け式の洋式大便器である。なお、上記した便器本体１０の壁Ｗへの取り付けについては、後に説明する。壁Ｗは、たとえばタイルやモルタル等を含む材料によって形成されるが、壁Ｗの材料は、これに限られるものではない。
【００２２】
図２は、便器本体１０の断面図である。図２に示すように、便器本体１０は、導水路１１と、ボウル部１２と、排水トラップ管路１３と、排水路１４と、袴部１５とを備える。
【００２３】
導水路１１は、壁Ｗから突出する洗浄水供給管５０の一端に接続される。洗浄水供給管５０の他端は、壁Ｗの内部に配置された洗浄水タンク（図示せず）に接続される。したがって、導水路１１には、便器洗浄が行われる場合に、洗浄水タンクから供給された洗浄水が流通する。
【００２４】
ボウル部１２は、導水路１１に接続されるとともに、汚物を受けることが可能なボウル状に形成される。詳しくは、ボウル部１２は、汚物を受けることが可能な汚物受け面１６と、汚物受け面１６の上縁に形成されるリム部１７とを備える。
【００２５】
リム部１７には、導水路１１に接続されるリム導水路１７ａが形成される。リム導水路１７ａは、汚物受け面１６側に吐出口が設けられ、よって導水路１１の洗浄水は、リム導水路１７ａの吐出口を介して汚物受け面１６へ吐水され、汚物受け面１６が洗浄される。
【００２６】
排水トラップ管路１３は、入口部１３ａと、溜水部１３ｂとを備える。入口部１３ａは、汚物受け面１６の底部と連続するように設けられ、ボウル部１２からの洗浄水を排水トラップ管路１３へ流入させる。溜水部１３ｂは、入口部１３ａから下方へ向けて延びた後、斜め上方へ向けて延びるように形成され、所定量の洗浄水が溜まる形状とされる。このように、排水トラップ管路１３は、溜水部１３ｂに洗浄水が溜まり、封水として機能することで、排水管５１からの臭気等がボウル部１２側へ逆流することを防止する。
【００２７】
排水路１４は、一端側が排水トラップ管路１３の出口に接続される一方、他端側が排水管５１に接続される。したがって、便器洗浄が行われる場合、汚物受け面１６を洗浄した洗浄水は、排水トラップ管路１３の入口部１３ａ、溜水部１３ｂおよび排水路１４を介して排水管５１へと排水される。
【００２８】
袴部１５は、上記したボウル部１２や排水トラップ管路１３を周縁側から覆い大便器の外郭を形成する。詳しくは、袴部１５は、リム部１７の上面１７ｂの周縁１７ｂ１から下方の床面Ｆ側へ向けて延在して形成され、ボウル部１２等を取り囲むように構成される。
【００２９】
したがって、袴部１５の内部には、上記したボウル部１２や排水トラップ管路１３などが収納されるとともに、ボウル部１２等以外の部分に空間が形成されることとなる。以下では、袴部１５の内部に形成される空間を「内部空間Ａ」と記載する場合がある。
【００３０】
また、袴部１５の下端１５ａには、開口部１５ｂが形成される。これにより、袴部１５の内部空間Ａと外気（正確にはトイレ室の室内空間）とが開口部１５ｂを介して連通される。袴部１５の下端１５ａの床面Ｆからの高さＨは、適宜に設定可能であるが、たとえば使用者の手が便器本体１０の下部へ入る程度の高さに設定されることが好ましい。
【００３１】
なお、上記した袴部１５は、ボウル部１２と一体的に形成されるが、これに限られず、別体で形成されたものであってもよい。また、以下では、袴部１５において、ボウル部１２を基準とした場合のＹ軸負方向にある部分を「正面部１５ｃ」、Ｙ軸正方向の壁Ｗ側にある部分を「背面部１５ｄ」、Ｘ軸正方向および負方向にある部分を「側面部１５ｅ」と記載する場合がある。
【００３２】
図１に示すように、衛生洗浄装置３０は、便器本体１０の上面、正確には、リム部１７の上面１７ｂに設けられ、使用者の局部を洗浄する。具体的には、衛生洗浄装置３０は、本体部４０と、便座１００と、便蓋２００とを備える。便座１００および便蓋２００はともに、開閉可能なように本体部４０に取り付けられる。
【００３３】
本体部４０は、ケース４１と、ノズルユニット４２とを備える。ケース４１は、ノズルユニット４２などを収納する。ノズルユニット４２は、洗浄ノズル４３を備える。
【００３４】
上記した洗浄ノズル４３は、ケース４１に対して進退可能に構成される。詳しくは、洗浄ノズル４３には、図示しない電動モータなどの駆動源が接続される。かかる駆動源は、図示しない電源に接続されて電力が供給される。洗浄ノズル４３は、駆動源の駆動により、便器本体１０のボウル部１２内へ進出した位置と、ケース４１内に後退して格納される位置との間で進退させられる。なお、図１では、進出した位置にある洗浄ノズル４３を示している。
【００３５】
また、洗浄ノズル４３は、図示しない水道管などの水源に接続される。そして、洗浄ノズル４３は、ボウル部１２内へ進出した位置にあるときに、水源からの水を使用者の身体へ噴出させて局部を洗浄する。なお、本明細書において、「水」なる表現は、必ずしも冷水の意味ではなく、温水を含む意味で使用する場合がある。
【００３６】
このように、衛生洗浄装置３０には、使用者の局部を洗浄する洗浄動作を行うために、水源からの給水系統および電源からの給電系統が接続される。なお、衛生洗浄装置３０において、給電系統から電力が供給される負荷は、上記した駆動源に限られず、たとえば、洗浄ノズル４３へ水を供給する流路を開閉する電磁弁や、水源から供給された水を加熱するヒータなどが含まれていてもよい。
【００３７】
次に、トイレ装置１の組み立て手順について図３および図４を参照して説明する。図３は、便器本体１０を壁Ｗに取り付ける前の状態を示す斜視図であり、図４は、便器本体１０を壁Ｗに取り付けた後の状態を示す斜視図である。なお、図３および図４では、理解の便宜のため、便器本体１０を破線で示した。
【００３８】
図３に示すように、便器本体１０が取り付けられる前の壁Ｗには、洗浄水供給管５０、排水管５１、給水管６１、電源コード７１、２本の取付用ボルト７５が設けられている。洗浄水供給管５０、排水管５１および２本の取付用ボルト７５は、壁Ｗから突き出ており、給水管６１および電源コード７１は、壁Ｗから引き出されている。
【００３９】
便器本体１０は、Ｙ軸正方向へ移動させられ、背面部１５ｄが壁Ｗに当接させられる。これにより、図４に示すように、取付孔２３に取付用ボルト７５が挿通され、かかる取付用ボルト７５が図示しないナットで締結固定されることで、便器本体１０は壁Ｗに取り付けられる。
【００４０】
また、洗浄水供給管５０は導水路１１に接続されるとともに、排水管５１が排水路１４に接続される。さらに、給水管６１は、挿通孔２１から便器本体１０内へ引き込まれ、電源コード７１は、挿通孔２２から便器本体１０内へ引き込まれる。
【００４１】
便器本体１０を壁Ｗに取り付ける際、電源コード７１が弛んでいると、電源コード７１が、便器本体１０の背面と壁Ｗの壁面との間に挟み込まれるおそれがある。電源コード７１の挟み込みが生じると、便器本体１０の背面と壁Ｗの壁面との間に隙間が生じて外観に悪影響を及ぼすおそれがある。また、電源コード７１が損傷するおそれもある。
【００４２】
そこで、実施形態に係るトイレ装置１では、図３に示すように、電源コード７１を被覆部材１０２で覆うこととした。被覆部材１０２は、電源コード７１よりも可撓性の低い部材であり、たとえばチューブ状に形成される。電源コード７１と被覆部材１０２との間には隙間があり、被覆部材１０２は、電源コード７１に沿って移動可能である。なお、被覆部材１０２と電源コード７１の先端、具体的には、後述する接続端子７２との間には、被覆部材１０２が電源コード７１から脱落するのを防止するための止め輪１０４が設けられる。
【００４３】
このように、電源コード７１よりも可撓性の低い被覆部材１０２で電源コード７１を覆うことで、電源コード７１の弛みが抑制されるため、施工時における電源コード７１の挟み込みを生じ難くすることができる。
【００４４】
また、被覆部材１０２は、電源コード７１に沿って移動して便器本体１０の内部空間Ａに配置されることで、内部空間Ａに配置された電源コード７１を結露から保護することができる。
【００４５】
次に、被覆部材１０２の構成について図５を参照して具体的に説明する。図５は、被覆部材１０２の構成の説明図である。
【００４６】
図５に示すように、被覆部材１０２の長さＤ１は、便器本体１０の背面に形成された電源コード７１の挿通孔２２と壁Ｗの壁面との距離Ｄ２よりも長い。
【００４７】
これにより、たとえば、被覆部材１０２の一端側を便器本体１０の挿通孔２２へ挿通し、他端側を壁Ｗの壁面に当接させた状態で、便器本体１０の壁Ｗへの取り付けを行うことができることから、電源コード７１の挟み込みを適切に抑制することができる。
【００４８】
また、被覆部材１０２の長さＤ１は、電源コード７１の一部が収納される袴部１５の内部空間Ａの前後方向における幅Ｄ３よりも短い。このように、被覆部材１０２を内部空間Ａの前後方向の長さよりも短くすることで、内部空間Ａに対して被覆部材１０２を確実に収めることができる。なお、袴部１５の内部空間Ａの前後方向における幅Ｄ３は、袴部１５における開口部１５ｂの前後方向における幅と言い換えても良い。
【００４９】
また、被覆部材１０２の長さＤ１は、電源コード７１の長さと、便器本体１０の背面に形成された電源コード７１の挿通孔２２および壁Ｗの壁面間の距離Ｄ２との差よりも短い。このように構成することで、電源コード７１の弛みを抑制しつつ、内部空間Ａに対して被覆部材１０２を確実に収めることができる。
【００５０】
便器本体１０の壁Ｗへの取り付けおよび給水管６１および電源コード７１の引き込みが終了した後、便器本体１０に衛生洗浄装置３０が取り付けられる。
【００５１】
まず、衛生洗浄装置３０から延びる給水管６７および電源コード７７が挿通孔２０を介して便器本体１０の内部空間Ａへ引き込まれる。
【００５２】
その後、壁Ｗ側の給水管６１の先端に設けられた接続部６２と衛生洗浄装置３０側の給水管６７の先端に設けられた接続部とが、バルブ６０を介して接続される。バルブ６０としては、たとえば使用者によって手動操作可能な操作部を備えたボールバルブを用いることができるが、これに限定されるものではない。たとえば、バルブ６０は、ハンドル式のゲートバルブなどその他の種類のバルブであってもよい。
【００５３】
また、壁Ｗ側の電源コード７１と衛生洗浄装置３０側の電源コード７７とが、電源コード７１の先端に設けられた接続端子７２を介して接続される。これにより、壁Ｗ側の電源コード７１と衛生洗浄装置３０側の電源コード７７とが電気的に接続されて衛生洗浄装置３０に対する給電が可能な状態となる。
【００５４】
続いて、壁Ｗ側の給水管６１、衛生洗浄装置３０側の給水管およびバルブ６０を含む給水系統、壁Ｗ側の電源コード７１および衛生洗浄装置３０側の電源コード７７を含む電気系統が、ブラケット８１に固定される。
【００５５】
図１および図２に示すように、ブラケット８１は、板状の部材であり、上述したバルブ６０や接続端子７２などを下方から支持する。給水管６１，６７および電源コード７１，７７等は、たとえば面ファスナ、結束バンド等の固定部材によってブラケット８１に固定される。
【００５６】
ブラケット８１は、便器本体１０に対して下方から取り付けられることにより、便器本体１０の袴部１５と排水トラップ管路１３との間に配置される。具体的には、ブラケット８１は、平面視において略Ｕ字状に形成されており、便器本体１０の袴部１５と対向するブラケット８１の外周縁の形状は、袴部１５の内壁１５ｆに即した形状とされ、排水トラップ管路１３と対向するブラケット８１の内周縁の形状は、排水トラップ管路１３の外形に即した形状とされる。
【００５７】
これにより、ブラケット８１を便器本体１０に取り付けた状態において、ブラケット８１と袴部１５との間、および、ブラケット８１と排水トラップ管路１３との間に隙間を生じにくくすることが可能となる。そのため、たとえば、ブラケット８１に載置された給水管６１、電源コード７１などが、ブラケット８１から落下したり、ブラケット８１と袴部１５との間の隙間などに挟み込まれたりすることを防止することができる。
【００５８】
このように、ブラケット８１を備えることにより、給水管６１、電源コード７１等を内部空間Ａ内に固定することができ、電源コード７１が固定されることで、被覆部材１０２が不要に便器本体１０に接触することを抑制することができる。
【００５９】
上述してきたように、実施形態に係るトイレ装置１は、壁掛け式の便器本体１０と、衛生洗浄装置３０と、コード（一例として、電源コード７１）と、被覆部材１０２とを備える。便器本体１０は、汚物を受けるボウル部１２を覆うとともにボウル部１２よりも後方に延在して大便器の外郭を形成する袴部１５を備える。衛生洗浄装置３０は、便器本体１０の上面に設けられ、使用者の局部を洗浄する。コードは、壁面から取り出され、一部が便器本体１０の内部に配置された状態で衛生洗浄装置３０に接続される。被覆部材１０２は、コードを覆い、コードよりも可撓性が低い。
【００６０】
コードよりも可撓性の低い被覆部材１０２でコードを覆うことで、コードの弛みが抑制されるため、便器本体１０の壁面への取り付け施工時において、便器本体１０と壁Ｗの壁面との間にコードが挟み込まれることを抑制することができる。
【００６１】
また、便器本体１０を壁面に取り付けた状態において、被覆部材１０２は、便器本体１０の背面に形成されたコードの挿通孔（一例として、挿通孔２２）と壁面との距離よりも長い。
【００６２】
これにより、被覆部材１０２の一端を挿通孔に挿通し、他端を壁面に当接させた状態で、便器本体１０の壁面への取り付けを行うことができることから、コードの挟み込みを適切に抑制することができる。
【００６３】
また、被覆部材１０２は、コードの一部が収納される袴部１５の内部空間Ａの前後方向における幅よりも短い。
【００６４】
このように、被覆部材１０２を内部空間Ａの前後方向の長さよりも短くすることで、内部空間Ａに対して被覆部材１０２を確実に収めることができる。
【００６５】
また、被覆部材１０２は、コードの長さと、便器本体１０の背面に形成されたコードの挿通孔および壁面間の距離との差よりも短い。
【００６６】
このように構成することで、コードの弛みを抑制しつつ、内部空間Ａに対して被覆部材１０２を確実に収めることができる。
【００６７】
また、実施形態に係るトイレ装置１は、便器本体１０に取り付けられ、袴部１５の内部空間Ａにおいてコードの一部を下方から支持するブラケット８１を備える。
【００６８】
このように、ブラケット８１を備えることにより、コードを内部空間Ａ内に固定することができる。また、コードが固定されることで、被覆部材１０２が不要に便器本体１０に接触することを抑制することができる。
【００６９】
上述した実施形態では、コードの一例として電源コード７１を挙げて説明したが、被覆部材で覆われるコードは、電源コード７１に限定されない。たとえば、トイレ装置１は、壁Ｗの内部に配置された洗浄水タンクに設けられた電動モータを衛生洗浄装置３０と接続するための便器洗浄コードを備えていてもよい。この場合、壁Ｗから挿通孔を介して引き出された便器洗浄コードと衛生洗浄装置３０側の便器洗浄コードとが接続端子を介して接続されることで、衛生洗浄装置３０から電動モータに対して駆動信号を出力することが可能となる。電源コード７１と同様、便器洗浄コードもブラケット８１に下方から支持された状態で、袴部１５の内部空間Ａに収容される。
【００７０】
便器洗浄コードは、上述した電源コード７１と比較して径が小さく、電源コード７１よりも弛みが生じ易い。そこで、便器洗浄コードを便器洗浄コードよりも可撓性の低い被覆部材で覆うこととしてもよい。これにより、便器洗浄コードの挟み込みを好適に抑制することができる。また、電源コード７１および便器洗浄コードよりも可撓性の低い被覆部材を用いて電源コード７１および便器洗浄コードの両方をまとめて覆うこととしてもよい。
【００７１】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７２】
Ｗ  壁
１  トイレ装置
１０  便器本体
１２  ボウル部
１５  袴部
２１  挿通孔
３０  衛生洗浄装置
６１  給水管
７１  電源コード
８１  ブラケット
１０２  被覆部材
１０４  止め輪
【図１】
2020105690.tif 000003
【図２】
2020105690.tif 000004
【図３】
2020105690.tif 000005
【図４】
2020105690.tif 000006
【図５】
2020105690.tif 000007